(57)【要約】      （修正有）【課題】ユーザ端末(ＵＥ)が、高速共有制御チャネル（HS-SCCH）が純粋なL1シグナリングであることを早期に検出する。【解決手段】レベル１(L1)シグナリングフラグが、HS-SCCHのパート１における未使用(無効）ビット列にマッピングされ（すなわち、UTRAN仕様において未定義なパート１ビット符号化され）、対応するL1コマンドがパート２に符号化される。これにより、UEが、HS-SCCHが純粋なL1シグナリングであることを早期に検出することが可能になり、付随するHS-PDSCHを処理しないことで、電力の浪費を回避可能である。【選択図】図２
2015122771.tif 000002
【特許請求の範囲】
【請求項１】
UTRAN無線通信ネットワーク(10)において、ノードＢ(16)からユーザ端末(UE)(18)へレベル１(L1)シグナリングを送信する方法であって、
L1シグナリングフラグを高速共有制御チャネル(HS-SCCH)のパート１に符号化するステップと、
L1信号を前記HS-SCCHのパート２に符号化するステップと、
前記HS-SCCHを１つ以上のUE(18)に送信するステップと、
を有することを特徴とする方法。
【請求項２】
前記L1シグナリングフラグをHS-SCCHのパート１に符号化するステップが、前記L1信号を前記HS-SCCHパート１の規定されていない符号化にマッピングするステップを有することを特徴とする請求項１記載の方法。
【請求項３】
前記L1信号は前記UE(18)における不連続送信(DTX)モード又は不連続受信(DRX)モードの有効化又は無効化を制御することを特徴とする請求項１記載の方法。
【請求項４】
前記L1信号は前記UE(18)における多入力多出力(MIMO)モードの使用を制御することを特徴とする請求項１記載の方法。
【請求項５】
前記L1信号は前記UE(18)における連続パケット接続性(CPC)モードの有効化又は無効化を制御することを特徴とする請求項１記載の方法。
【請求項６】
前記L1信号の前記UE(18)からの確認応答を待機するステップをさらに有することを特徴とする請求項１記載の方法。
【請求項７】
前記L1信号の前記UE(18)からの確認応答を待機するステップが、前記確認応答をランダムアクセスチャネル(RACH)上で監視するステップを有することを特徴とする請求項６記載の方法。
【請求項８】
前記RACH信号は、前記UE(18)から受信された場合、UE識別情報及び前記L1信号に固有な確認応答を含むことを特徴とする請求項７記載の方法。
【請求項９】
前記L1信号の送信と、前記UE(18)による確認応答の有無が、前記HS-SCCHの送信電力レベルによって規定されるカバレージエリア内に前記UE(18)が存在することを解明するピング操作を構成することを特徴とする請求項６記載の方法。
【請求項１０】
ピングに用いるために送信されたL1信号が前記UE(18)のモード又は状態を変更しうる場合、前記信号は前記UE(18)に前記UE(18)の現在のモード又は状態を送信するように命令することを特徴とする請求項９記載の方法。
【請求項１１】
前記UE(18)から確認応答が受信されなかった場合、前記L1信号をより高いHS-SCCH送信電力レベルで再送するステップをさらに有することを特徴とする請求項９記載の方法。
【請求項１２】
UTRAN無線通信ネットワーク(10)においてUE(18)の不連続受信(DRX)を制御する方法であって、
レベル１(L1)信号を、連続パケット接続性(CPC)モードでないCELL_FACH状態においてUE(18)に送信し、前記UE(18)のDRXモードを有効化又は無効化するステップを有することを特徴とする方法。
【請求項１３】
前記L1信号を前記UE(１８)に送信するステップが、
L1シグナリングフラグを高速共有制御チャネル(HS-SCCH)のパート１に符号化するステップと、
DRX信号を前記HS-SCCHのパート２に符号化するステップと、
前記HS-SCCHを前記UE(18)に送信するステップと、
を有することを特徴とする請求項１２記載の方法。
【請求項１４】
前記L1シグナリングフラグをHS-SCCHのパート１に符号化するステップが、前記L1信号フラグを前記HS-SCCHパート１の規定されていない符号化にマッピングするステップを有することを特徴とする請求項１３記載の方法。
【請求項１５】
前記L1信号を前記UE(18)に送信するステップが、前記L1信号をL3メッセージにカプセル化するステップと、前記L3メッセージを前記UE(18)に送信するステップとを有することを特徴とする請求項１２記載の方法。
【請求項１６】
前記L1 DRX信号に対する前記UE(18)からの確認応答を受信するステップをさらに有することを特徴とする請求項１２記載の方法。
【請求項１７】
前記L1 DRX信号に対する前記UE(18)からの確認応答の受信に失敗した場合、前記UE(18)が動作不能状態であるか、前記L1 DRX信号送信の電力レベルによって規定される範囲の外に存在するものと結論づけるステップをさらに有することを特徴とする請求項１６記載の方法。
【請求項１８】
UTRAN無線通信ネットワーク(10)であって、
L1シグナリングフラグを高速共有制御チャネル(HS-SCCH)のパート１における未使用ビット符号化に符号化し、L1信号を前記HS-SCCHのパート２に符号化し、前記HS-SCCHを前記UE(18)に送信することにより、前記L1信号をユーザ端末(UE)(18)に送信可能なノードＢ(16)、を有することを特徴とするネットワーク。
【請求項１９】
前記ノードＢ(16)が、前記L1フラグを前記HS-SCCHのパート１における未使用ビット符号化に符号化することにより前記L1信号をユーザ端末(UE)(18)に送信可能であることを特徴とする請求項１８記載のネットワーク(10)。
【請求項２０】
前記ノードＢ(16)がさらに、前記UE(18)からL1信号確認応答を受信可能であることを特徴とする請求項１８記載のネットワーク(10)。
【請求項２１】
前記ノードＢ(16)が前記UE(18)からの前記L1信号確認応答を、ランダムアクセスチャネル(RACH)上で受信することを特徴とする請求項２０記載のネットワーク(10)。
【請求項２２】
前記L1信号が、連続的パケット接続性(CPC)モードとは独立した不連続受信(DRX)モードコマンドであることを特徴とする請求項２０記載のネットワーク(10)。
【請求項２３】
前記ノードＢ(16)がさらに、前記UE(18)を前記UE(18)の現在のDRXモードへ遷移させるL1 DRXコマンドを前記UE(18)に送信することにより、前記UE(18)をピングすることが可能であることを特徴とする請求項２２記載のネットワーク(10)。
【発明の詳細な説明】
【技術分野】
【０００１】
本願は2007年2月5日に出願されたスウェーデン国特許出願第SE 0700287-6号及び、2007年3月27日に出願されたスウェーデン国特許出願第SE 0700838-6-5号に基づく優先権主張出願である。
【０００２】
本発明は概して無線通信技術に関し、特にはUTRANネットワークとユーザ端末との間の、改善されたL1シグナリングに関する。
【背景技術】
【０００３】
本発明はUMTS陸上無線アクセスネットワーク(UTRAN)における低レベルシグナリングに関する。図１に、UTRAN無線通信ネットワーク１０を示す。UTRANネットワークは、コアネットワーク(CN)１２と、複数の無線ネットワークコントローラ(RNC)１４と、本技術分野では基地局とも呼ばれる複数のノードＢ１６とを有する。複数のノードＢ１６は、その各々が、移動機とも呼ばれる１つ以上のユーザ端末(UE)１８に対し、セル又はセクタ２０内でエアインタフェースを通じて通信サービスを提供する。CN１２は公衆交換電話網(PSTN)、インターネット、GSM（登録商標）ネットワーク等のような他のネットワークと通信可能に接続されていて良く、また、UTRANネットワーク１０はそれら外部ネットワークとUE1８との間でのデータ転送機能を提供する。
【０００４】
高速ダウンリンクパケットアクセス(HSDPA)は、高速ダウンリンク共有チャネル(HS-DSCH)上でデータパケットをセル２０中に同報したり、高速共有制御チャネル(HS-SCCH)上で制御情報をセル２０中に同報したりといった機能を含む、多くの機能をUTRANネットワーク１０に導入した。HSDPAはチャネル依存スケジューリングを用い、各UE１８へのデータは、そのUE１８への瞬時的なチャネル品質が高いときに共有チャネル上で送信されるようにスケジュールされる。変化するチャネル状態への素速い応答を必要とするこの機能をサポートするため、スケジュール機能はRNC１４からノードＢ１６へ移され、より短い、２ミリ秒（又は３スロット）の送信時間間隔(TTI)が規定されている。
【０００５】
同様に、適応変調及び符号化(AMC)とも呼ばれる高速レート制御及び高次変調(HOM)がリンクアダプテーションに用いられ、各トランスポートブロックのデータレート及び変調方式は、目標とするUE１８へのチャネル状態（及びUE1８の能力）に応じて変化する。さらに、HSDPAは、デコードに失敗したトランスポートブロックのソフト値を保持し、個々の再送のソフトデコード結果と結合するハイブリッドARQ（HARQ)確認方式を用いている。これにより、冗長性を増しながら、再送の必要性を低減している。スケジューリング、AMC及びHARQ機能はその全てがネットワーク側の無線インタフェース近くにある必要があるため、ノードＢ１６に移されている。
【０００６】
多入力多出力(MIMO)技術は、UTRAN規格に統合されているHSDPA機能の１つである。具体的には、MIMOは来るべきUTRAN規格の改訂において、HOMと組み合わされるであろう。従前、そのような機能は、レイヤ３(L3)シグナリングを通じてRNC１４によって制御されてきた。RNC１４がHSDPA機能を制御することの問題点は、TTIの長さに対して遅延が大きいことである。ある機能またはモードを頻繁にオン／オフすべきであるとすると、高次レイヤシグナリングにおけるオーバヘッドは大きな障害となってくる。実際、モード切り替えがかなりの頻度で必要な場合、高次レイヤシグナリングを行う余地がない。
【０００７】
RNC１４が制御する際の大きな遅延の影響を受けるHSDPA機能の別の例は、UE１８における不連続送信(DTX)及び／又は不連続受信(DRX)モードである。UTRAN仕様のリリース７は、「パケットデータユーザに対する連続的な接続性」又は連続パケット接続性(CPC)を規定している。CPCは、シグナリングオーバヘッド、アップリンク干渉及びダウンリンク送信電力を削減して、非常に多数のパケット系(packet-oriented)ユーザをサポートできるようにシステム容量を拡張するものである。CPCモードの１機能は、アップリンク干渉を削減すると共にUEの電池を節約するアップリンクDTXである（電力制御が行われるため、アップリンクDTXの実行はダウンリンクDRXの実行を暗示する）。さらに、CPCとは独立したDRXモードは、全てのHS-SCCH送信でL1シグナリングを監視する必要性からUE １８を開放するという利点がある。CPCと独立したDRX／DTXモードは、理想的にはUE１８による確認応答の提供を含むであろう。例えば、ネットワーク１０は、DRXモードを終了するようにコマンドを送信したDRXモードのUE１８について、DRXモードが実際に終了したUE１８からの確認応答を受信し、UE1８がHS-SCCHを監視するようになるまではダウンリンクデータをスケジュールすべきでない。
【０００８】
CPCモードにおいて、UE１８のDRX／DTXモードはHS-SCCHのトランスポートブロックサイズ(TBS)フィールド中の所定のビット列によって制御される（つまり、ビット列は有効なTBS値ではない）。しかし、DRX／DTXビットはHS-SCCHのパート２内にあるため、TBSフィールドが有効である（そして付随するデータがHS-PDSCH伝送で見つかる）か、CPCコマンドがTBSフィールドに符号化されているか（この場合、データは送信されず、HS-SCCHは純粋にL1シグナリングである）を推定するためには、UE１８がHS-SCCHの全体を検出しなければならない。TBSフィールドがパート２にあるため、UE1８はいずれの場合もHS-PDSCHを処理しなければならず、後者の場合には電力を無駄に消費してしまう。
【０００９】
この、DRX／DTXモードのL1シグナリングを行う特定の手段についての他の問題は、別のCPC機能に関して発生する。ダウンリンク干渉を低減するため、付随する制御情報なしでデータを送信するHS-SCCHレス動作に関してである。UE1８はまず、HS-SCCHが付随するHS-PDSCH伝送を探す。見つからなければ、UE1８はブラインド復号を用いて符号化レートを見出し、HS-SCCHを伴わないHS-PDSCH伝送の受信を試行しなければならない。DRX／DTX L1制御シグナリングのみを含むHS-SCCH伝送のパート１は、HS-PDSCH伝送を伴うHS-SCCH伝送のパート１と区別できない（TBSフィールドはパート２にあるため）。従って、HS-SCCHを検出すると、UE１８はそれがHS-PDSCH伝送を伴うHS-SCCHであると仮定せざるを得ない。これは、UE１８がHS-PDSCH伝送をHS-SCCHを伴わないHS-PDSCHとして処理することを不可能とし、その結果、ネットワーク１０がHS-SCCH上でのDRX／DTX L1シグナリングと、HS-SCCHを伴わないHS-PDSCHでのデータとの同時送信を妨げている。規定されたTBSビット列を送信に用いると、CPCとは独立したDRX／DTX有効化（無効化）信号も同様の問題の影響を受ける。
【発明の概要】
【００１０】
本明細書に記載され、また特許請求の範囲に記載された様々な実施形態によれば、L1シグナリングフラグが、HS-SCCHのパート１における未使用（無効）ビット列にマッピング（すなわち、UTRANの仕様には規定されていないパート１ビット符号化）され、対応するL1シグナリングコマンドはパート２に符号化される。これによりUE１８は、HS-SCCHが純粋なL1シグナリングであることをより早く検出することができ、UE１８は付随するHS-PDSCHを処理しないことで無駄な電力消費を回避することができる。あるいは、CPC HS-SCCHレスモードにおいて、UE１８はHS-PDSCHをブラインド復号してもよい。一実施形態において、L1シグナリングフラグは、CPC DRXモードコマンドがパート２に符号化されていることを示す。別の実施形態では、汎用（すなわち非CPC）DRXモードが規定され、かつL1シグナリングによって制御される。一実施形態において、UE１８の確認応答はL1シグナリングの正確性を改善する。一実施形態において、L1シグナリング及びUE１８の確認応答プロトコルはUE１８を「ピング」するために用いられる。
【００１１】
L1シグナリングをHS-SCCHにおける未使用のパート１ビットに符号化することにより、HS-SCCHがL1シグナリング用であってHS-PDSCHデータを伴わないことを、UE１８に前もって通知することが可能になる。また、ネットワーク１０による、L1シグナリングコマンドとHS-SCCHを伴わないデータパケットとの同時送信を可能にする。ノードＢ１６におけるスケジューラがL1シグナリングを送信することで、L3シグナリングと比較して応答時間が改善され、遅延が削減する。非CPC DRXモードは、UE１８が電力を節約することを可能とし、UE１８の確認応答を伴うL1 DRXシグナリングは、ピング操作の実装を可能とする。
【図面の簡単な説明】
【００１２】
【図１】UTRAN無線通信ネットワークの機能ブロック図である。
【図２】HS-SCCH及びHS-PDSCHのフレーム構成及びタイミングを示す図である。
【図３】UTRANネットワークにおいてUEをピングする方法のフローチャートである。
【発明を実施するための形態】
【００１３】
図２は、HS-SCCH及びHS-PDSCHのフレーム構成及び相対タイミングを示す。HS-SCCHは、HS-DSCH伝送に関するダウンリンクシグナリングを搬送する固定レート（60 kbps、拡散率=128）のダウンリンク物理チャネルである。HS-SCCHがタイミング及び符号化情報を提供することで、UE1８はHS-PDSCHを正確な時刻に聴取（リスン）し、正しい符号を用いてUE１８宛のデータを正しく復号することができる。HS-SCCHは対応するHS-DSCH TTIに先立って２スロットで送信される。HS-SCCHは２つのパートに分かれており、以下の制御情報を含んでいる（MIMOが設定されていない場合）。
【００１４】
パート１：
UEID（16ビット）： Xue
チャネライゼーション符号セット（7ビット）：Xccs
変調方式情報（1ビット）：Xms
パート２：
トランスポートブロックサイズ情報（6ビット）：Xtbs
ハイブリッドARQ処理情報（3ビット）：X hap
冗長性及びコンステレーションバージョン（3ビット）：X rv
新データインジケータ（1ビット）：X nd
【００１５】
HS-PDSCHは可変レート(SF=16)の物理ダウンリンク共用チャネルであり、１つ以上の特定のUE1８宛のデータパケットを搬送するのに用いられる。HS-PDSCHは固定拡散率１６、３スロット長の静的なTTI（２ミリ秒）、２４ビット固定長のCRC、及び1/3ターボ符号化を用いる誤り訂正を有する。データは、付随するHS-SCCHに指定されるように、QPSK又は16QAMによって変調することができる。
【００１６】
上述の通り、HS-SCCHパート２のTBSフィールドの未使用（無効）符号化を用い、L1シグナリング、具体的にはCPCモードにおけるDRX／DTXコマンドを搬送することは知られている。しかし、このフィールドはパート２にあるため、UEがHS-PDSCHを受信して、処理する（又は処理しない）より前に、UEがTBSフィールドを復号する時間がない。
【００１７】
UTRANの仕様では、HS-SCCHのパート１の一部のビット列が規定されていない。１つ以上の実施形態によれば、L1シグナリングフラグがそれらの未使用（無効）パート１ビット列にマッピングされ、L1シグナリングはパート２に符号化される。L1シグナリングフラグをパート１に符号化することで、UE1８はHS-SCCH伝送を受信すると、そのHS-SCCH伝送がL1シグナリング専用なのかどうかを直ちに解明することができる。これは、従来技術に対していくつかの顕著な利点を与える。
【００１８】
特に、現在のCPC DRX/DTX L1シグナリングについて、L1フラグがパート１に符号化されているとすると、HS-SCCHパート１を復号するUE１８は、パート１がそのUEのXue、及び有効なXccx及びXms値を復号すれば、付随するHS-PDSCHがデータを含んでおり、UE１８がそのデータを処理しなければならないことが確実となる。あるいは、UE１８がパート１でL1シグナリングフラグを検出すれば、UE１８は引き続くHS-PDSCH伝送を安全に無視することができ、又はHS-SCCHレスモードが有効であれば、UE１８は、パート２のL1シグナリングの解釈及び応答と並行してHS-PDSCH伝送のブラインド復号を行うことができる。これにより、UTRANネットワーク１０は、従来のネットワーク実装においては不可能であった、L1シグナリングとHS-SCCHレスデータパケットをUE１８に同時送信することが可能になる。
【００１９】
L1 DRX/DTX 有効化（無効化）信号は、CPCモードDRX/DTXに限定されない。UTRAN仕様のリリース７は、拡張CELL_FACH状態を規定している。CELL_FACH状態では、周波数領域多重(FDD)システム内のUEには専用の物理チャネルが割り当てされない（時分割多重(TDD)モードでは、１つ又はいくつかのUSCH又はDSCHトランスポートチャネルが確立されていてよい）。UE１８はダウンリンクにおける転送アクセスチャネル(FACH)を継続的に監視し、その一方でアップリンクにおいてデフォルトの共通又は共有トランスポートチャネル（例えばRACH）を割り当てられ、このチャネル上でネットワーク１０へのアクセスを開始することができる。
【００２０】
UE1８がHS-SCCHを継続的に監視しなくて済めば、UE１８の電力消費において好都合であろう。一実施形態によれば、UE１８の受信動作を制御する汎用DRXモードが規定される。例えば、DRX起動期間は、UE１８が電池節約のために受信器回路のスイッチを切ることができる期間に規定されてよい。予め規定されたDRX有効サイクルが終了すると、UE１８は受信器を起動し、自身にデータがスケジュールされているかを判別するためにHS-SCCH伝送を短期間監視する。DRX有効期間及びDRX無効期間の長さの少なくとも一方は、（例えばHS-SCCHパート２に符号化されている）L1シグナリングで指定されてもよいし、高位レイヤアプリケーションによって事前に設定されてもよい。
【００２１】
DRXモードが有効な場合、ネットワーク１０がUE1８のDRX無効化がなされる次のタイミングを待っては送信データのスケジュールを行う必要があるため、一部のデータ伝送は遅延されることになる。平均遅延は主にDRX有効期間の長さに依存するであろう。本願の教示を得た本技術分野に属する当業者は、実装に応じてUE１８の電池節約と許容できる伝送遅延との適切なトレードオフを決定することができるであろう。
【００２２】
RNC１４がL3シグナリングを通じてUE1８の汎用DRXモードを制御してもよいが、特にネットワーク１０がUE1８にデータを送信する前にUE１８からDRX状態であることの確認応答を必要とする場合、L3シグナリングはかなりのオーバヘッド及び遅延を付加する。さらに、スケジューリング、AMC及びHARQがノードＢ１６に移されたのと同じ理由、すなわち、ノードＢ１６が、瞬時的なチャネル状況、使用可能な電力、使用可能な符号、並びに他のパラメータについてより詳細な知見を持っているという理由により、HS-SCCHのパート１におけるL1 DRXシグナリングの伝送は、ノードＢ１６によって、特にはノードＢ１６のスケジューラによって実行されることが好ましい。
【００２３】
UE１８を異なるDRXモード間を遷移させるために用いられるシグナリングの仕組みとは無関係に、シグナリングの失敗はユーザエクスペリエンス及びシステムパフォーマンスに深刻な悪影響を与えかねないことに留意すべきである。UE1８が誤ってDRXモードを有効化した場合、UE１８がHS-SCCHを監視していない間にノードＢ1６がUE１８へデータをスケジュールすればデータ損失が発生しうる。あるいは、UE1８が誤ってDRXモードを無効化した場合、UE１８の電池消費は不必要に大きくなるであろう。従って、シグナリング誤りは最小化しなくてはならない。シグナリング誤りを削減する既知の一方法は、信頼できる確認応答の仕組みを用いることである。
【００２４】
一実施形態において、UE１８は汎用（即ち非CPC）DRXモードコマンドを、CELL_FACH状態において利用可能なアップリンクチャネルであるランダムアクセスチャネル(RACH)上で確認応答を送信することによって確認応答する。この確認応答はUE１８を特定しなければならない（いかなるRACH送信においても必須である）。また、確認応答は、その送信が対応するDRXコマンドの受領を確認していることを示す固有のコードをさらに含む。一実施形態において、その確認応答はノードＢ１６によって直接受信される。別の実施形態では、確認応答はRNC１４によって受信され、RNC１４がノードＢ１６に確認応答の受信を知らせる。後者の実施形態は、L3メッセージにカプセル化されたL1信号と見なすことができる。本質的にこれら２つの実施形態には差がないが、実際上はノードＢ１６が直接受信する方が最小の遅延と最速の応答を実現できるであろう。
【００２５】
L1シグナリング及びUE１８によるDRX確認応答を通じた汎用DRXモードのさらなる利点は、ノードＢ１６がこのシグナリングプロトコルをUE１８が動作可能に存在していることを確認するための「ピング(ping)」操作の実施に利用することができることである。この方法１００を、図３においてフローチャートの形式で示す。UE１８がDRX無効モード（即ちHS-SCCHを常に監視している）であればいつでも、又はUE１８がDRX有効モード（すなわち、周期的にのみHS-SCCHを監視している）における無効化期間において、ノードＢ１６はUE１８に（好ましく）同一のDRXモードへ遷移するように命令するDRX L1信号を送信することができる（ブロック１０２）。ノードＢ１６が確認応答を受信したら（ブロック１０４）、ノードＢ１６は、UE１８がセル２０の中で、かつHS-SCCH送信電力レベルの範囲内にいることを知る（ブロック１０６）。ノードＢ１６がL1信号の確認応答を受信しなければ（ブロック１０４）、ノードＢ１６はHS-SCCH送信電力レベルを増加させ（ブロック１０８）、DRXコマンドを再送する（ブロック１１０）。ノードＢ１６がL1信号の確認応答を再度受信しなかった場合（ブロック１１２）、ノードＢ１６はUE１８の電源が切られているか、セル２０を出ていったものと見なす（ブロック１１４）。もちろん、図３においてブロック１０４からブロック１１４への点線の経路で示すように、UE１８をピングするためにさらに電力を増加させて試行してもよい。なお、シグナリングがUE１８のピングを目的としたものであって、DRXモードの変更を目的としたものでない場合、理想的にはUE１８に自身のその時点におけるDRXモードへ遷移するように命令するだけでよいことを考慮すべきである。
【００２６】
HS-SCCHパート１におけるL1シグナリングフラグについて、汎用DRXモードコマンドに関して説明してきたが、本発明はそれに限定されない。一般に、CPC、HOM、MIMO又は他の任意のUE１８のモード又は機能を制御するコマンドのような任意のコマンドを、HS-SCCHパート２に符号化することができ、かつパート１におけるL1シグナリングフラグによって示すことができる。L1シグナリングフラグをパート１に配置することにより、UE1８は純粋なL1シグナリングHS-SCCHとHS-PDSCHを伴うHS-SCCHとを素速く識別することができる。これにより、UE１８はHS-PDSCHを安全に無視するか、あるいはHS-SCCHを伴わないHS-PDSCHをブラインド復号することができる。
【００２７】
本発明は、その本質的な特徴の範囲内で、ここで説明した以外の方法によって実施可能なことは言うまでもない。ここで説明した実施形態は、いかなる見地においても例示的なものと解釈されるべきであり、限定的なものと解釈されるべきではない。そして、請求項の意味及びそれと同等の範囲に含まれる全ての変更は、本発明の範囲内であることが意図されている。
【図１】
2015122771.tif 000003
【図２】
2015122771.tif 000004
【図３】
2015122771.tif 000005
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
不連続受信(DRX)を制御する、ユーザ端末(UE)で実施される方法であって、
高速共有制御チャネル(HS-SCCH)伝送のパート１の未使用ビット符号化に符号化されているL1シグナリングフラグであって、前記UEが復号すべき、符号化されたL1不連続受信(DRX)コマンドを前記HS-SCCHのパート２が含んでいることを示すL1シグナリングフラグ、を受信するステップと、
前記L1 DRXコマンドの確認応答を送信するステップと、
を有することを特徴とする方法。
【請求項２】
前記L1 DRXコマンドの確認応答が、ランダムアクセスチャネル(RACH)上で送信されることを特徴とする請求項１記載の方法。
【請求項３】
前記L1 DRXコマンドが、連続的パケット接続性(CPC)モードとは独立したものであることを特徴とする請求項１記載の方法。
【請求項４】
前記UEの現在のDRXモードへ遷移させる前記L1 DRXコマンドを受信するステップと、
確認応答を送信するステップと、
をさらに有することを特徴とする請求項３記載の方法。
【請求項５】
不連続受信(DRX)を制御する方法を実行するための命令を格納したコンピュータ読み取り可能な媒体であって、
前記方法が、
高速共有制御チャネル(HS-SCCH)伝送のパート１の未使用ビット符号化に符号化されているL1シグナリングフラグであって、ユーザ端末(UE)が復号すべき、符号化されたL1不連続受信(DRX)コマンドを前記HS-SCCHのパート２が含んでいることを示すL1シグナリングフラグ、を受信するステップと、
前記L1 DRXコマンドの確認応答を送信するステップと、
を有することを特徴とするコンピュータ読み取り可能な媒体。
【請求項６】
前記L1 DRXコマンドの確認応答が、ランダムアクセスチャネル(RACH)上で送信されることを特徴とする請求項５記載のコンピュータ読み取り可能な媒体。
【請求項７】
前記L1 DRXコマンドが、連続的パケット接続性(CPC)モードとは独立したものであることを特徴とする請求項５記載のコンピュータ読み取り可能な媒体。
【請求項８】
前記方法が、
前記UEの現在のDRXモードへ遷移させる前記L1 DRXコマンドを受信するステップと、
確認応答を送信するステップと、
をさらに有することを特徴とする請求項７記載のコンピュータ読み取り可能な媒体。
【請求項９】
ユーザ端末(UE)であって、
高速共有制御チャネル(HS-SCCH)伝送のパート１の未使用ビット符号化に符号化されているL1シグナリングフラグであって、前記UEが復号すべき、符号化されたL1不連続受信(DRX)コマンドを前記HS-SCCHのパート２が含んでいることを示すL1シグナリングフラグ、を受信し、
前記L1 DRXコマンドの確認応答を送信する、
ように動作可能なことを特徴とするユーザ端末(UE)。
【請求項１０】
前記L1 DRXコマンドの確認応答が、ランダムアクセスチャネル(RACH)上で送信されることを特徴とする請求項９記載のユーザ端末(UE)。
【請求項１１】
前記L1 DRXコマンドが、連続的パケット接続性(CPC)モードとは独立したものであることを特徴とする請求項９記載のユーザ端末(UE)。
【請求項１２】
さらに、
前記UEの現在のDRXモードへ遷移させる前記L1 DRXコマンドを受信し、
確認応答を送信する、
ように動作可能なことを特徴とする請求項１１記載のユーザ端末(UE)。
【請求項１３】
不連続受信(DRX)を制御する、ノードＢで実施される方法であって、
高速共有制御チャネル(HS-SCCH)伝送のパート１の未使用ビット符号化に符号化されたL1シグナリングフラグであって、ユーザ端末(UE)が復号すべき、符号化されたL1不連続受信(DRX)コマンドを前記HS-SCCHのパート２が含んでいることを示すL1シグナリングフラグ、を前記UEに送信するステップと、
前記UEから、前記L1 DRXコマンドの確認応答を受信するステップと、
を有することを特徴とする方法。
【請求項１４】
前記L1 DRXコマンドの確認応答が、ランダムアクセスチャネル(RACH)上で受信されることを特徴とする請求項１３記載の方法。
【請求項１５】
前記L1 DRXコマンドが、連続的パケット接続性(CPC)モードとは独立したものであることを特徴とする請求項１３記載の方法。
【請求項１６】
さらに、
UEの現在のDRXモードへ遷移させる前記L1 DRXコマンドを送信して前記UEをピングするステップと、
UE確認応答を受信するステップと、
を有することを特徴とする請求項１５記載の方法。
【請求項１７】
不連続受信(DRX)を制御する方法を実行するための命令を格納したコンピュータ読み取り可能な媒体であって、
前記方法が、
高速共有制御チャネル(HS-SCCH)伝送のパート１の未使用ビット符号化に符号化されたL1シグナリングフラグであって、ユーザ端末(UE)が復号すべき、符号化されたL1不連続受信(DRX)コマンドを前記HS-SCCHのパート２が含んでいることを示すL1シグナリングフラグ、を前記UEに送信するステップと、
前記UEから、前記L1 DRXコマンドの確認応答を受信するステップと、
を有することを特徴とするコンピュータ読み取り可能な媒体。
【請求項１８】
前記L1 DRXコマンドの確認応答が、ランダムアクセスチャネル(RACH)上で受信されることを特徴とする請求項１７記載のコンピュータ読み取り可能な媒体。
【請求項１９】
前記L1 DRXコマンドが、連続的パケット接続性(CPC)モードとは独立したものであることを特徴とする請求項１７記載のコンピュータ読み取り可能な媒体。
【請求項２０】
前記方法が、
UEの現在のDRXモードへ遷移させる前記L1 DRXコマンドを送信して前記UEをピングするステップと、
UE確認応答を受信するステップと、
をさらに有することを特徴とする請求項１９記載のコンピュータ読み取り可能な媒体。
【請求項２１】
ノードＢであって、
高速共有制御チャネル(HS-SCCH)伝送のパート１の未使用ビット符号化に符号化されたL1シグナリングフラグであって、ユーザ端末(UE)が復号すべき、符号化されたL1不連続受信(DRX)コマンドを前記HS-SCCHのパート２が含んでいることを示すL1シグナリングフラグ、を前記UEに送信し、
前記UEから、前記L1 DRXコマンドの確認応答を受信する、
ように動作可能であることを特徴とするノードＢ。
【請求項２２】
前記L1 DRXコマンドの確認応答が、ランダムアクセスチャネル(RACH)上で受信されることを特徴とする請求項２１記載のノードＢ。
【請求項２３】
前記L1 DRXコマンドが、連続的パケット接続性(CPC)モードとは独立したものであることを特徴とする請求項２１記載のノードＢ。
【請求項２４】
さらに、
UEの現在のDRXモードへ遷移させる前記L1 DRXコマンドを送信して前記UEをピングし、
UE確認応答を受信する、
ように動作可能であることを特徴とする請求項２３記載のノードＢ。
【外国語明細書】
2015122771000001.pdf